(57)【要約】【課題】非喫煙エリアから喫煙室に向かって０．２ｍ／ｓの進入風(喫煙室内から喫煙室外への空気の排気量)は確保し、さらに除去効率を低下させずにフィルターの消費量等維持管理コストを低減する喫煙室を提供することができる。【解決手段】空気濾過ユニット６０と、負圧発生装置２と、開口部５とを備えた喫煙室１であって、空気濾過ユニット６０は、第１の濾過ユニット６１と第２の濾過ユニット６２を有し、第１の濾過ユニット６１は、前記第２の濾過ユニット６２より濾過性能が高く、第１の濾過ユニット６１の吸気口６１ａは喫煙室の天井側に配置され、第２の濾過ユニットの吸気口６２ａは喫煙室の床側に配置され、第１の濾過ユニットの排出口６１ｂ及び第２ユニットの排出口６２ｂは、負圧発生装置２に接続されている。【選択図】図１
2019143852.tif 000002
【特許請求の範囲】
【請求項１】
空気濾過ユニット（６０）と、負圧発生装置（２）と、開口部（５）とを備えた喫煙室（１）であって、
前記空気濾過ユニット（６０）は、第１の濾過ユニット（６１）と第２の濾過ユニット（６２）を有し、
記第１の濾過ユニット（６１）は、前記第２の濾過ユニット（６２）より濾過性能が高く、
前記第１の濾過ユニット（６１）の吸気口（６１ａ）は前記喫煙室の天井（３）側に配置され、前記第２の濾過ユニットの吸気口（６２ａ）は前記喫煙室の床（４）側に配置され、
前記第１の濾過ユニットの排出口（６１ｂ）及び前記第２ユニットの排出口（６２ｂ）は、前記負圧発生装置（２）に接続され、
前記開口部（５）は出入口を兼ねており、
前記負圧発生装置（２）が発生した負圧を利用して室内の空気（７）を前記空気濾過ユニット（６０）を通過させて清浄化し室外に排気するとともに、前記開口部（５）から室内に室外の空気（９）を給気する、喫煙室（１）。
【請求項２】
請求項１に記載の喫煙室（１）であって、
さらに、第１吸気口（６１ａ）と第２吸気口（６１ｂ）との間に灰皿を置くための棚部（Ｓ）を備え、
前記第１吸気口（６１ａ）は、前記棚部（Ｓ）より上側に、前記第２吸気口（６２ａ）は、前記棚部（Ｓ）より下側に配置されている、喫煙室（１）。
【請求項３】
請求項１に記載の喫煙室（１）であって、
さらに灰皿（Ｔ）を備え、
前記第１吸気口（６１ａ）は、前記灰皿（Ｔ）の高さより上側に、前記第２吸気口（６２ａ）は、前記灰皿（Ｔ）の高さより下側に設けられている、喫煙室（１）。
【請求項４】
請求項１〜３のいずれか１項に記載の喫煙室（１００）であって、
前記喫煙室（１００）は、水平断面がほぼ矩形形状であって、その内部に前記空気濾過ユニット（１６０）がその長辺のほぼ中央に前記開口部（１０５）と相対するように配置され、
前記空気濾過ユニット（１６０）の正面パネル（Ｐ）の中央部（Ｃ）は、平面状であって水平方向の幅が出入口（１０５）の幅より狭く、前記中央部（Ｃ）の左右は階段状の落差部（Ｒ）に続いて平面状の平面部（Ｆ）が前記出入口（１０５）を向くようにして水平方向に複数回繰り返され左右ほぼ対称に伸びており、
前記空気濾過ユニット（１６０）は、前記第１濾過ユニットの吸気口（１６１ａ）と前記第２濾過ユニットの吸気口（１６１ｂ）をそれぞれ複数有し、
前記第１濾過ユニットの吸気口（１６１ａ）は、前記中央部（Ｃ）と、前記平面部（Ｆ）の最上部に配置されるともに前記落差部（Ｒ）に配置され、
前記第２吸気口（１６１ｂ）は、前記落差部（Ｒ）に配置されている喫煙室（１００）。
【請求項５】
請求項４に記載の喫煙室（２００）であって、
前記開口部は、引き戸（２０５）により開閉可能であって、前記引き戸（２０５）は、パンチングメタルで形成されている喫煙室（２００）。
【請求項６】
請求項１〜５に記載の喫煙室（１、１００、２００）の換気方法であって、
１）前記負圧発生装置（２、１０２）を駆動して負圧を発生させ、
２）発生した負圧を利用して前記喫煙室（１、１００、２００）の空気（７）を第１濾過ユニット（１６１）及び第２濾過ユニット（１６２）を通過させて清浄化するとともに清浄化した空気（８）を喫煙室（１、１００、２００）外に排出し、
３）あらかじめ定めた速度の進入風（９）を前記開口部（１０５、２０５）で得ることを特徴とする、喫煙室の換気方法。
【発明の詳細な説明】
【技術分野】
【０００１】
本発明は、喫煙ブース等煙草の煙が発生する喫煙室の清浄化および換気に関する。
【背景技術】
【０００２】
喫煙ブースがオフィスや公共空間の一部に設けられることが多い。このような喫煙ブースに対しては、次のような要請がある。
【０００３】
（漏出防止の要請）
健康増進法によって定められた通り、受動喫煙の防止措置が努力義務とされ、これに伴い「職場における喫煙対策のためのガイドライン（平成１５年５月）」が改定されて、職場の空気環境の基準として、喫煙室内のタバコの粉塵や匂い及びガス成分が、喫煙室内から喫煙室外に漏出しないためには、喫煙室の出入口など喫煙室と非喫煙エリアの境界部分において、非喫煙エリアから喫煙室に向かって０．２ｍ／ｓの進入風を発生させることが有効であるとされている。
【０００４】
この０．２ｍ／ｓの進入風を発生させるためには、喫煙室内から屋外もしくは喫煙室外へ、出入口からの進入風に見合った空気量と同量の喫煙室内の空気を排気する必要がある。排気する空気量は喫煙室の出入口の開口面積（「開口寸法」ともいう。以下、同じ。）に応じて決定される。
【０００５】
出入口の開口面積が大きいと排気する空気量が多くなるため、エアコンなどの空調が効きにくくなり、排気のための送風機などの能力も大きくする必要がある。このため、開口寸法は、一般的には人が不便なく出入り可能な最低限の面積、例えば、幅0.8m×高さ2mとされ、この場合の毎時排気する空気量は、0.8×2×0.2×60×60＝1,152m3/時となる。
【０００６】
このような漏出防止を考慮した従来の喫煙室は、図７に示すようなものであり、この喫煙室（１´）では、空気濾過ユニット（６´）とファン（２´）と出入口（５´）とを備えており、出入口（５´）からの進入風（９´）が0.2m/sになるようにファン（２´）で負圧を作り、喫煙室（１´）内の煙草（１９´）の煙が含まれる空気（７´）を、フィルター（６ｃ´）を備えた空気濾過ユニット（６´）で清浄化して、その清浄化した空気（８´）を排気するものがあった。また、換気手段と空気流入手段とが、喫煙ブースの中央を経てほぼ対向する位置に配置される技術が提案されている（特許文献１）。
しかしながら、近年は、加えて、次のような要請がある。
【０００７】
（排気濾過の要請）
喫煙室から排気される空気は、近年では健康対策や匂い除去の観点から、粉塵除去用のフィルターや匂いおよびTVOC（total Volatile Organic Compounds、総揮発性有機化合物）等ガス成分除去用のフィルターを通して清浄化する要請がある。特に、排気先が人の活動エリア近辺の場合、高性能のフィルター、例えば粉塵およびTVOC除去性能が90％以上ある濾過装置が求められることもある。
【０００８】
しかし、除去効率が高い高性能フィルターを使うほど濾過時の圧力損失やフィルターの維持管理コストなどが大きくなる上、フィルターの入った濾過ユニット自体が大型化するために喫煙室のスペース効率が悪化するという課題がある。
【０００９】
したがって、排気する空気量すなわち喫煙室に進入する空気量を確保しつつ、除去効率を低下させずに濾過ユニットのフィルターの消費量を低減することが求められている。また、換言すると、維持管理コストが低く、煙草の煙を効率よく清浄化する喫煙室が求められている。
【先行技術文献】
【特許文献】
【００１０】
【特許文献１】特開２００５−２０７０７８号公報
【発明の概要】
【発明が解決しようとする課題】
【００１１】
本発明は上記の２つの課題を同時に解決するために提案するものであり、このような従来事情に鑑みてなされたもので、その目的は、非喫煙エリアから喫煙室に向かって0.2m/sの進入風(進入空気量)を確保し、さらに除去効率を低下させずにフィルターの消費量等維持管理コストを低減する喫煙室を提供することである。
【課題を解決するための手段】
【００１２】
（請求項１）
本発明は、上記課題を達成するために提案されたものであって、下記の構成からなる。すなわち、
空気濾過ユニットと、負圧発生装置と、開口部とを備えた喫煙室であって、
前記空気濾過ユニットは、第１の濾過ユニットと第２の濾過ユニットを有し、
前記第１の濾過ユニットは、前記第２の濾過ユニットより濾過性能が高く、
前記第１の濾過ユニットの吸気口は前記喫煙室の天井側に配置され、前記第２の濾過ユニットの吸気口は前記喫煙室の床側に配置され、
前記第１の濾過ユニットの排出口及び前記第２ユニットの排出口は、前記負圧発生装置に接続され、
前記開口部は出入口を兼ねており、
前記負圧発生装置が発生した負圧を利用して室内の空気を空気濾過ユニットを通過させて清浄化し室外に排気するとともに、前記開口部から室内に室外の空気を給気することを特徴とする。
【００１３】
これにより、前記負圧発生装置が発生した負圧を利用して室内の空気を空気濾過ユニットを通過させて清浄化し喫煙室外に排気するとともに、前記開口部から室内に室外の空気を給気することができる。
このため、第１濾過ユニットは、天井側に設けられた吸気口から発生源に近い上昇する煙を捉えて能率よく喫煙室室内の煙草の煙を含んだ空気の濾過ができるとともに、第２濾過ユニットは、床側に設けられた吸気口から喫煙室内に拡散した煙を捉えて濾過するので、第１濾過ユニットよりも性能が低いフィルターを用いることができ、進入空気量を確保しつつ、全体として除去効率を低下せずに、フィルターの消費量を低減できる。
【００１４】
（請求項２）
さらに、第１吸気口と第２吸気口との間に灰皿を置くための棚部を備え、
前記第１吸気口は、前記棚部より上側に、前記第２吸気口は、前記棚部より下側に配置されていることが好ましい。
【００１５】
これにより、棚部に灰皿が置かれた場合であっても、灰皿付近から上がる煙草の煙は、天井側に設けられた第１濾過ユニットの吸気口から能率よく捉えて喫煙室内の煙草の煙を含んだ空気の濾過ができる。
【００１６】
（請求項３）
また、さらに灰皿を備え、前記第１吸気口は、前記灰皿の高さより上側に、前記第２吸気口は、前記灰皿の高さより下側に設けられていることが好ましい。
【００１７】
これにより、灰皿から上昇する煙草の煙は、灰皿より上側に設けられた第１濾過ユニットの吸気口から能率よくとらえて喫煙室内の煙草の煙を含んだ空気の濾過ができる。
【００１８】
（請求項４）
さらに、加えて、前記喫煙室は、水平断面がほぼ矩形形状であって、その内部に前記空気濾過ユニットがその長辺のほぼ中央に前記開口部と相対するように配置され、
前記空気濾過ユニットの正面パネルの中央部は、平面状であって水平方向の幅が出入口の幅より狭く、前記中央部の左右は階段状の落差部に続いて平面状の平面部が出入口を向くようにして水平方向に複数回繰り返され左右ほぼ対称に伸びており、
前記濾過ユニットは、前記第１濾過ユニットの吸気口と前記第２濾過ユニットの吸気口をそれぞれ複数有し、
前記第１濾過ユニットの吸気口は、前記中央部と、前記平面部の最上部に配置されるともに前記落差部に配置され、
前記第２吸気口は、前記落差部に配置されていることが好ましい。
【００１９】
これにより、開口部からの進入風と吸気口からの負圧により、喫煙室内に乱れの少ない旋回流を左右ほぼ均等に作ることができ、煙草の煙を含んだ空気が喫煙室内に滞留することを妨げたることができる。
第１濾過ユニットは、天井側に（または、棚部より上に、または、灰皿より上に）設けられた吸気口のうち平面部から発生源に近い上昇する煙を能率よく捉えるとともに落差部から室内に拡散する煙を能率よく濾過するとともに、第２濾過ユニットは、床側に（または、棚部より下に、または、灰皿より下に）設けられた吸気口から喫煙室内に拡散した煙を捉えて能率よく濾過することができる。そして、第２濾過ユニットは、第１濾過ユニットより性能が低いフィルターを用いることができるので、進入空気量を確保しつつ、全体として除去効率を低下せずに、フィルターの消費量を低減できる。
【００２０】
（請求項５）
また、前記開口部は、引き戸により開閉可能であって、前記引き戸は、パンチングメタルで形成されていることが、好ましい。
【００２１】
これにより、進入風の乱流を減少させることができる。
【００２２】
（請求項６）
本発明は、これらの喫煙室の換気方法であって、
１）前記負圧発生装置を駆動して負圧を発生させ、
２）発生した負圧を利用して前記喫煙室の空気を第１濾過ユニット及び第２濾過ユニットを通過させて清浄化するとともに清浄化した空気を喫煙室外に排出し、
３）あらかじめ定めた速度の進入風を開口部で得ることを特徴とする。
【００２３】
これにより、第２濾過ユニットは第１濾過ユニットより性能が低いフィルターを用いることができるので、進入空気量を確保しつつ、全体として除去効率を低下せずに、フィルターの消費量を低減することができる。
【発明の効果】
【００２４】
本発明は、非喫煙エリアから喫煙室に向かって０．２ｍ／ｓの進入風(喫煙室内から喫煙室外への空気の排気量)は確保し、さらに除去効率を低下させずにフィルターの消費量等維持管理コストを低減する喫煙室を提供することができる。
【発明を実施するための形態】
【００２５】
以下に、図面を参照して本発明を実施するための形態について説明する。
【実施例１】
【００２６】
図１に、本例の喫煙室１を示す。喫煙室１は、空気濾過ユニット６０と、負圧発生装置２と、開口部５とを備える。図１は、本発明の喫煙室の実施形態（実施例１）を示す模式断面図である。以下、本例の喫煙室１について、説明する。
【００２７】
本例は、開口部５以外ほぼ密閉した構造の喫煙室１、すなわち、室外または室内に置かれる禁煙ブースである。喫煙室１内には、空気濾過ユニット６０が置かれ、このユニット６０は、フィルター性能の異なる第１の濾過ユニット６１と第２の濾過ユニット６２を有する。空気濾過ユニット６０の出入口１０５に相対した正面パネルには各濾過ユニット６１、６２の吸気口６１ａ、６２ａが設けられている。
各空気濾過ユニット６１、６２の排気口６１ｂ、６２ｂは、ダクト６１ｄ、６２ｄを介して負圧発生装置であるファン２に接続されている。清浄になった空気８は、ダクト６１ｄ、６２ｄを通り、ファン２から排出される。なお、各ダクト６１ｄ、６２ｄは途中で合わさってもよい。また、ダクト６１ｄ、６２ｄ及びファン２は、空気濾過ユニット６０と一体であってもよいし、別体であってもよい。
【００２８】
（濾過ユニット）
図１に示すように、第１濾過ユニットの吸気口６１ａは、天井３側に設けられている。これに対し、第２濾過ユニットの吸気口６２ａは、床４側に設けられている。
各濾過ユニット６１、６２は、内部にそれぞれフィルター部６１ｃ、６２ｃを有し、ダクト６１ｄ、６２ｄを介して負圧発生装置であるファン２に接続されている。
【００２９】
（フィルター部）
ファン２が生成した負圧により、各吸気口６１ａ，６１ｂから吸引された喫煙室内の煙草の煙を含んだ空気７は、フィルター部６１ｃ、６２ｃで、清浄化される。フィルター部６１ｃ、６２ｃは、粒子を除去するための集塵フィルター６１ｃ１と匂い等を発する気体を吸着する脱臭フィルター６１ｃ２を組み合わせて用いている。
【００３０】
集塵フィルター６１ｃ１は、粗い粒子を除去するプレフィルター、その次段にさらに細かい粒子を除去するフィルター６１ｃ１を配設し、このように段階的に構成することにより、早期の目詰まりを防止して省メンテナンスを図るとともに目標とする微粒子まで効率的に取り除くことができる。
【００３１】
プレフィルターは、たとえば不織布またはメッシュ状の金網で構成され、主として、目視可能なものをターゲットにしており、粒子径が１０〜２０μｍ以上のものを除去することができる。
さらに細かい粒子を除去するフィルターは、ＨＥＰＡフィルターまたは準ＨＥＰＡフィルターを使用することができる。ＨＥＰＡフィルターは、規定風量１１．５ｍ３／分で９９．９７％（計数法）除去できるものを用いることができ、準ＨＥＰＡフィルターは、規定風量１１．５ｍ３／分で９９．０％（計数法）除去できるものを用いることができる。
【００３２】
フィルター部６１ｃ、６２ｃは、さらに、においの除去のために、一酸化炭素等の気体を吸着させる脱臭フィルター６１ｃ２を配設することができる。脱臭フィルター６１ｃ２は、通気性を有するように吸着剤が充填されて空気通過面に並ぶように設けられている。吸着剤は、活性炭を用いているが、吸着性能が優れた他の物質であってもよい。
【００３３】
本例では、第２濾過ユニット６２は、第１濾過ユニット６１より性能の低い簡易なフィルターを用いることができる。簡易なフィルターは、高性能フィルターと比較して、捕獲する粒子の塵埃の大きさがより大きいものであってもよく、また、吸着剤で一部の気体を吸着しないものであってもよく、また、まったく捕獲・吸着しない場合も含まれる。各ユニットのフィルターにどのようなものを選ぶかは、場合により、適宜選択することができる。
【００３４】
（ファン）
ファン２は、負圧を発生し、喫煙室内の煙草の煙７を周囲の空気とともに吸気口から吸引し、フィルター部を通過させて清浄にした空気８を喫煙室外に排出する送風機である。それとともに、喫煙室内を負圧にすることにより、開口部５から、開口部に必要な0.2m/sの進入風９を作るものである。負圧発生装置としてのファン２は、開口５から進入する空気量を賄う容量および圧力を有することができれば、そのほかは特に限定がない。
ファン２は喫煙室１の外に置いているが、喫煙室の屋上に置いてもよい。
なお、喫煙室１内に人感センサーを設けて、喫煙室内の人の有無を検出し、これにより、負圧発生装置の運転を自動的に制御するようにしてもよい。
【００３５】
（作用）
このように、負圧発生装置２が発生した負圧を利用して室内の空気７を空気濾過ユニット６０を通過させて清浄化し喫煙室外に排気するとともに、前記開口部５から室内に室外の空気を給気する。
このため、第１濾過ユニット６１は、天井側に設けられた吸気口６１ａから発生源に近い上昇する煙を捉えて能率よく喫煙室室内の煙草の煙を含んだ空気の濾過ができるとともに、第２濾過ユニット６２は、床側に設けられた吸気口６２ａから喫煙室内に拡散した煙を捉えて濾過するので、第１濾過ユニットに比べて性能が低い簡易なフィルターを用いることができ、進入空気量を確保しつつ、全体として除去効率を低下せずにフィルターの消費量を低減できる。
【００３６】
なお、図１に示すように、第１の濾過ユニット６１の吸気口６１ａは喫煙室の天井３側に配置され、第２の濾過ユニット６２の吸気口６２ａは喫煙室の床４側に配置されているが、第１吸気口６１ａと第２吸気口６１ｂとの間に棚部Ｓをさらに備えていてもよい。喫煙室は、この棚部Ｓに灰皿を設けてもよく、また、棚部Ｓ以外に自立式の灰皿を備えてもよい。
これにより、棚部Ｓに灰皿が置かれた場合であっても、灰皿から上がる煙草の煙は、天井３側に設けられた第１濾過ユニット６１の吸気口６１ａから上昇する煙を捉えて能率よく喫煙室室内の煙草の煙を含んだ空気７の濾過ができる。また、さらに灰皿を備える場合は、灰皿から上がる煙草の煙は、天井３側に設けられた第１濾過ユニット６１の吸気口６１ａから上昇する煙を捉えて能率よく喫煙室内の空気の濾過ができる。
【実施例２】
【００３７】
次に、喫煙室内への進入風の取り込みとこれに伴う喫煙室内での空気の流れを考慮した喫煙室１００の例を示す。
【００３８】
（喫煙室）
図２に示すように、本例の喫煙室１００は、開口部１０５を有するとともにその水平方向の断面はほぼ矩形形状である。この喫煙室１００は、建築物、車両、船舶、航空機などの内部に設けてもよく、部屋の一部を間仕切りなどにより閉鎖空間として仕切ってもよい。床面１０３から立ち上がる柱１２０及び柱１２０に架け渡された梁１２１はアルミ型材等必要な強度を有するものを用い、その間をポリカーボネート製等の壁１２１で仕切り、天井１０４によって囲んで閉鎖空間を作っている。
この喫煙室１００の内部に空気濾過ユニット１６０がその長辺のほぼ中央に前記開口部１０５と相対するように配置されている。
【００３９】
喫煙室１００は、その屋上に、喫煙室１００内の未清浄の空気７を空気濾過ユニット１６０により清浄にするために負圧を生成する負圧発生装置であるファン１０２を備えている。空気濾過ユニット１６０とファン１０２は接続されており、濾過された清浄な空気８は、空気濾過ユニット１６０の背面内部に設けられた空気通路１６１ｄ、１６２ｄを通って、喫煙室１００の屋上におかれたファン１０２から喫煙室外に排出される。
【００４０】
なお、喫煙室の変形例として、図５に示すように、喫煙室２００は、他の箇所は同様として、開口部１０５について人が出入りするための引き戸式の出入口２０５としてもよい。この出入口２０５は、人の出入りがないときは、喫煙室２００内の空気の流れを乱さないように閉められている。この際に、引き戸は、パンチングメタルを用いて形成することができる。このようにすると、パンチングメタルを通過する進入風は、整列されて円形に開けられた多数の小孔を通過するため、空気の流れが整えられる。これにより、進入風の乱流を減少させることができる。
【００４１】
（空気濾過ユニット）
図３は、図２に示す本例の空気濾過ユニット１６０の斜視図である。
図３に示すように、本例の空気濾過ユニット１６０の正面パネルＰの中央部Ｃは、平面状であってその左右方向の幅は出入口１０５の幅よりやや狭くなっている。中央部Ｃの左右は奥行方向に階段状の段差が設けられた落差部Ｒがあり、続いて平面状の平面部Ｆが出入口を向くようにして角度が付けられ左右方向にほぼ対称に伸び、落差部Ｒと平面部Ｆは左右にもう１回ずつ繰り返されて延びている。
【００４２】
本例の空気濾過ユニット１６０は、第１濾過ユニットの吸気口１６１ａと第２濾過ユニットの吸気口１６１ｂをそれぞれ複数有している。第１濾過ユニット１６１と第２濾過ユニット１６２の高さ方向の大きさはほぼ同じであり、その間に棚Ｓが設けられ、棚Ｓには灰皿Ｔが棚Ｓに嵌るようにほぼ左右対称の位置に設けられている。
【００４３】
第１濾過ユニットの吸気口１６１ａは、中央部Ｃと、中央部Ｃの隣の平面部Ｆの最上部と、すべての落差部Ｒのほぼ高さ方向全面に、配置されている。
第２濾過ユニットの吸気口１６１ｂは、すべての落差部Ｒのほぼ高さ方向全面に、配置されている。
【００４４】
空気濾過ユニット１６０のフィルター部１６１ｃ、１６２ｃは、実施例１と同様に、集塵フィルター１６１ｃ１、１６２ｃ１と脱臭フィルター１６１ｃ２、１６２ｃ２が備えられている。
図４を用いて空気濾過ユニット１６０の空気の流れを説明する。図４（ａ）は第１濾過ユニット１６１の水平方向の模式断面図である。図４（ｂ）のＢ−Ｂ断面に相当するものである。
第１濾過ユニット１６１の吸気口１６１ａに吸入された空気７は、図４（ａ）及び（ｂ）に示すように、チャンバー１６１ｅを介してフィルター部１６１ｃを通過し、その背面の空気通路１６１ｄをとおって、喫煙室の屋上におかれたファン１０２から喫煙室外に清浄化した空気８として排出される。フィルター部１６１ｃは、集塵フィルター１６１ｃ１と脱臭フィルター１６１ｃ２が備えられている。
第２濾過ユニット１６２の吸気口１６２ａに吸入された空気７は、第１濾過ユニット１６１と同様に、図４（ｂ）に示すように、チャンバー（不図示）を介してフィルター部１６２ｃを通過し、その背面の空気通路１６２ｄをとおって、喫煙室１００の屋上に置かれたファン１０２から喫煙室外に清浄化した空気８として排出される。なお、第２濾過ユニット１６２の水平方向の模式断面図は示さなかったが、図４（ｂ）のＡ−Ａ断面の主要部は、第１濾過ユニット１６１で示した図４（ａ）と同様である。
【００４５】
図６に本例の喫煙室内の空気の流れを説明する。
図６（ａ）はその水平断面の模式図であり、図６（ｂ）は空気濾過ユニットの正面側の壁を取り外した正面の模式図である。図６（ａ）は、図６（ｂ）のＢ−Ｂ断面に相当するものである。
負圧発生装置１０２により、負圧が発生すると、空気濾過ユニット１６０に設けられた第１濾過ユニット１６１の吸気口１６１ａは、正面パネルＰの中央部Ｃとその隣の平面部Ｆの最上部に設けられているため、発生源１９から立ち上る煙７を能率よく吸気する。そして、正面パネルＰの中央部Ｃは最上部以外には吸気口がないため、開口部５から進入した空気９は喫煙室１００内に緩やかに引かれて正面パネルＰに沿って正面右側には右回りの、正面左側には左回りの緩やかな旋回流２０を生じさせる。このため、喫煙室１００内に拡散する煙はこの緩やかな旋回流２０にのって、落差部Ｒに設けられた吸気口１６１ａから能率よく空気濾過ユニット１６０内に吸気される。一方、室外の空気が開口部５から給気されて進入風９が生じるため、この旋回流２０は継続する。
同様に、負圧発生装置２により、負圧が発生すると、空気濾過ユニット１６０に設けられた第２濾過ユニット１６２の吸気口１６２ａは、落差部Ｒにほぼ高さ方向全面にわたって設けられているため、開口部１０５から進入した空気９は喫煙室１００内に緩やかに引かれて正面パネルＰに沿って正面右側には右回りの、正面左側には左回りの緩やかな旋回流２０が生じる。このため、喫煙室１００内に拡散する煙７はこの緩やかな旋回流２０にのって、落差部Ｒに設けられた吸気口１６２ａから能率よく空気濾過ユニット１６０内に吸気される。一方、室外の空気が開口部から給気されて進入風９が生じるため、この旋回流２０は継続する。なお、第２濾過ユニット１６２の水平方向の模式断面図は示さなかったが、図６（ｂ）のＡ−Ａ断面の空気の流れは、第１濾過ユニット１６１で示した図６（ａ）と同様である。
【００４６】
（作用）
以上のように構成されているため負圧発生装置であるファン１０２が発生した負圧を利用して室内の空気７を空気濾過ユニット１６０を通過させて清浄化し喫煙室外に排気するとともに、開口部１０５から室外の空気を給気する。
このため、第１濾過ユニット１６１は、主として正面パネルＰ及び平面部Ｆの天井１０３側に設けられた吸気口１６１ａから発生源１９に近い上昇する煙を捉えて能率よく喫煙室室内の煙草の煙を含んだ空気の濾過ができるとともに、落差部Ｒから喫煙室内に拡散した煙を捉えることができる。
また、第２濾過ユニット１６２は、落差部Ｒに設けられた吸気口１６２ａから喫煙室１００内に拡散した煙を捉えて濾過するので、第１濾過ユニット１６１に比べて性能が低い簡易なフィルターを用いることができ、進入空気量を確保しつつ、全体として除去効率を低下せずにフィルターの消費量を低減できる。
【００４７】
本例の利用の態様は、実施例１と同様に、喫煙空間と禁煙空間とを分離するために使われることである。
本例の喫煙室の大きさとしては、３人から４人程度の人数収納可能とするもので、床から天井までが２ｍ程度、奥行きが１ｍ２０ｃｍ程度、横幅が１ｍ５０ｃｍ程度である。開口は、出入口を兼ねることが多く、高さが１ｍ８０ｃｍから２ｍ程度、幅が６０ｃｍから７０ｃｍ程度である。
出入口５から本例の禁煙室に入ってきた喫煙者は濾過ユニット１６０の吸込口に向かって喫煙をすることが期待される。喫煙者は、煙草を吸わない時は、おおむね胸の前で煙草をもち、煙草を吸うときに顔の前に持っていくことが多いと考えられる。したがって、平均的には、おおよそ１ｍ５０ｃｍから６０ｃｍ程度のところから煙草の煙（副流煙）が発生するものと考えられる。これは、このような喫煙室では、おおよそ高さ方向の3/4の地点であり、すくなくとも喫煙室の中間の高さより高い地点である。
【００４８】
以上、本発明の実施の形態について、実施例をあげて説明したが、本発明は上記した実施の形態に限定されるものではない。
【産業上の利用可能性】
【００４９】
本発明の喫煙室は、喫煙室をはじめ複数の人間等が居住したり仕事を行ったりする閉鎖空間における空気清浄の分野に利用できる。
【図面の簡単な説明】
【００５０】
【図１】本発明の喫煙室の実施形態（実施例１）を示す模式概念図である。
【図２】本発明の喫煙室の実施形態（実施例２）を示す斜視図である。
【図３】図２に示す空気濾過ユニット１６０の斜視図である。
【図４】（ａ）は、図３に示す空気濾過ユニットの水平方向断面を模式的に示したもので、（ｂ）は（ａ）のＢ−Ｂ視模式断面図である。
【図５】（ａ）は、図２に示す喫煙室の空気流の断面方向の説明図で、（ｂ）は、正面方向から見た空気流の説明図である。
【図６】図２の喫煙室の変形例で、開口部に引き戸を設け、引き戸はパンチングメタルで形成したものである。
【図７】従来例の説明図である。
【符号の説明】
【００５１】
１（実施例１）、１００（実施例２）、２００（変形例）：喫煙室
２、１０２：負圧発生装置（ファン）
３、１０３：天井
４、１０４：床
５、１０５：開口部
７：未清浄の空気
８：清浄にした空気
９：進入気流、進入風
１９：煙の発生源（タバコ）
２０：緩やかな旋回流
６０、１６０：空気濾過ユニット
６１、１６１：第１の濾過ユニット
６２、１６２：第２の濾過ユニット
６１ａ、６２ｂ、１６１ａ、１６２ｂ：吸気口
６１ｂ、６２ｂ、１６１ｂ、１６２ｂ：排気口
６１ｃ、６２ｃ、１６１ｃ、１６２ｃ：フィルター部
６１ｃ１、６２ｃ１、１６１ｃ１、１６２ｃ１：集塵フィルター
６１ｃ２、６２ｃ、１６１ｃ１、１６２ｃ２：脱臭フィルター（吸着剤）
６１ｄ、６２ｄ、１６１ｄ、１６２ｄ：ダクト
１６１ｅ：チャンバー、
１２０：柱
１２１：梁
２０５：引き戸
Ｐ：正面パネル
Ｓ：棚部
Ｔ：灰皿
Ｃ：正面パネルの中央部
Ｒ：落差部
【図１】
2019143852.tif 000003
【図２】
2019143852.tif 000004
【図３】
2019143852.tif 000005
【図４】
2019143852.tif 000006
【図５】
2019143852.tif 000007
【図６】
2019143852.tif 000008
【図７】
2019143852.tif 000009